(57)【要約】【目的】各個人会員の健康を維持するために一層適切な健康情報を提供することができる健康情報提供装置を提供する。【解決手段】健康情報決定手段７０或いは健康情報決定工程において、個人会員用端末装置１２ｎから入力された個人会員の生体情報とその個人の行動情報とに基づいてその個人会員の健康を維持するための健康情報が決定され、健康情報送信（提供）手段７４或いは健康情報送信（提供）工程において、その健康情報が上記個人会員へ提供されることから、各個人会員毎に行動情報が加味された一層適切な高品質の健康情報がその個人会員に提供される。【選択図】                        図３
2004227178.tif 000002
【特許請求の範囲】
【請求項１】
予め登録された個人会員により操作される複数の端末装置から通信回線を介して接続されるサーバを用い、該サーバに記憶される該個人会員の生体情報に基づいた健康情報を該個人会員に提供するための健康情報提供方法であって、
前記端末装置から入力された個人会員の生体情報と該個人の行動情報とに基づいて該個人会員の健康を維持するための健康情報を決定する健康情報決定工程と、
該健康情報決定工程において決定された健康情報を前記個人会員へ提供する健康情報提供工程と
を、含むことを特徴とする健康情報の提供方法。
【請求項２】
前記行動情報は、前記個人会員に装着された位置検出装置により検出された該個人会員の行動位置を示す情報を含むものである請求項１の健康情報の提供方法。
【請求項３】
前記位置検出装置は、人工衛星からの電波に基づいて前記個人会員の行動位置を繰り返し決定する位置決め装置であり、
前記行動情報は、該位置決め装置により繰り返し決定された行動位置に基づいて算出された行動速度或いは行動距離を含むものである請求項２の健康情報の提供方法。
【請求項４】
前記健康情報決定工程は、予め登録した複数の健康情報から該個人会員の生体情報および行動情報に基づいて所定の健康情報を決定するものであり、
前記健康情報提供工程は、所定の個人会員から健康情報提供の要求があったか否かを判定する健康情報要求判定工程と、該健康情報要求判定工程により前記所定の個人会員から健康情報提供の要求があったと判定された場合は、前記所定の健康情報を該所定の個人会員へ送信する送信工程とを含むものである請求項１乃至３のいずれかの健康情報提供方法。
【請求項５】
前記送信工程により前記所定の健康情報が上記所定の個人会員へ送信されたことに関連してその所定の個人会員に対する課金を行う課金工程がさらに含まれるものである請求項１乃至４のいずれかの健康情報提供方法。
【請求項６】
予め登録された個人会員により操作される複数の端末装置から通信回線を介して接続されるサーバを備え、該サーバに記憶される該個人会員の生体情報に基づいた健康情報を該個人会員へ提供するための健康情報提供装置であって、
前記端末装置から入力された個人会員の生体情報と該個人の行動情報とに基づいて該個人会員の健康を維持するための健康情報を決定する健康情報決定手段と、
該健康情報決定手段において決定された健康情報を前記個人会員へ提供する健康情報提供手段と
を、含むことを特徴とする健康情報の提供装置。
【請求項７】
前記行動情報は、前記個人会員に装着された位置検出装置により検出された該個人会員の行動位置を示す情報を含むものである請求項６の健康情報の提供装置。
【請求項８】
前記位置検出装置は、人工衛星からの電波に基づいて前記個人会員の行動位置を繰り返し決定する位置決め装置であり、
前記行動情報は、該位置決め装置により繰り返し決定された行動位置に基づいて算出された行動速度或いは行動距離を含むものである請求項７の健康情報の提供装置。
【請求項９】
前記健康情報決定手段は、予め登録した複数の健康情報から該個人会員の生体情報および行動情報に基づいて所定の健康情報を決定するものであり、
前記健康情報提供手段は、所定の個人会員から健康情報提供の要求があったか否かを判定する健康情報要求判定手段と、該健康情報要求判定手段により前記所定の個人会員から健康情報提供の要求があったと判定された場合は、前記所定の健康情報を該所定の個人会員へ送信する送信手段とを含むものである請求項６乃至８のいずれかの健康情報提供装置。
【請求項１０】
前記送信工程により前記所定の健康情報が上記所定の個人会員へ送信されたことに関連してその所定の個人会員に対する課金を行う課金手段がさらに含まれるものである請求項６乃至９のいずれかの健康情報提供装置。
【発明の詳細な説明】
【０００１】
【発明の属する技術分野】
本発明は、運動メニューや食事メニューのような各個人会員の健康を維持するための健康情報を、その個人会員の生体情報だけでなく、その個人会員の生活行動に応じて提供するための健康情報提供方法および装置に関するものである。
【０００２】
【従来の技術】
肥満解消、高血圧の低下など、健康を維持するなどの目的で個人が自分で実行するための健康情報は、その分野の専門家である指導者から各個人の生体情報を加味した最適の指導情報を受けることが望まれる。このため、たとえば、特許文献１或いは引用文献２に記載されているように、利用者である会員毎の生体情報を蓄積し、その蓄積された生体情報に応じた健康情報を会員に提供し、正確な健康管理を行うことができるようにした健康管理システムが提案されている。
【０００３】
【特許文献１】特開２００２−２４５１７７号公報
【特許文献２】特開２００２−３４５７６２号公報
【０００４】
【発明が解決しようとする課題】
しかしながら、上記のような従来の健康管理システムでは、各個人の生体情報を加味したものに過ぎず、各個人の日々の行動を加味するものではなかった。このため、各個人の段階で自分の血圧や体重などの固有の生体情報に応じて一般的内容の健康情報が改変されて提供されるのであるけれども、各個人の行動距離や行動速度などから得られる活動情報が加味されていないので、各個人に提供される健康情報は必ずしも適切ではなく、場合によってはその個人の健康を維持するためには誤った健康情報が提供されるおそれがあった。
【０００５】
本発明は以上の事情を背景として為されたもので、その目的とするところは、各個人会員の健康を維持するために一層適切な健康情報を提供することができる健康情報提供方法および装置を提供することにある。
【０００６】
【課題を解決するための第１の手段】
上記目的を達成するための第１発明の要旨とするところは、予め登録された個人会員により操作される複数の端末装置から通信回線を介して接続されるサーバを用い、該サーバに記憶される該個人会員の生体情報に基づいた健康情報を該個人会員に提供するための健康情報提供方法であって、（ａ）  前記端末装置から入力された個人会員の生体情報と該個人の行動情報とに基づいて該個人会員の健康を維持するための健康情報を決定する健康情報決定工程と、（ｂ）  その健康情報決定工程において決定された健康情報を前記個人会員へ提供する健康情報提供工程とを、含むことにある。
【０００７】
【第１発明の効果】
このようにすれば、健康情報決定工程において、前記端末装置から入力された個人会員の生体情報と該個人の行動情報とに基づいてその個人会員の健康を維持するための健康情報が決定され、健康情報提供工程において、その健康情報が前記個人会員へ提供されることから、各個人会員毎に行動情報が加味された一層適切な高品質の健康情報がその個人会員に提供される。
【０００８】
【第１発明の他の態様】
ここで、好適には、前記行動情報は、前記個人会員に装着された位置検出装置により検出されたその個人会員の行動位置を示す情報を含むものである。このようにすれば、その個人会員の行動位置の変化に基づいて得られた行動距離や行動速度などに基づいて、一層適切な健康情報が個人会員に提供される。
【０００９】
また、好適には、前記位置検出装置は、人工衛星からの電波に基づいて前記個人会員の行動位置を繰り返し決定する位置決め装置であり、前記行動情報は、該位置決め装置により繰り返し決定された行動位置に基づいて算出された行動速度或いは行動距離を含むものである。このようにすれば、人工衛星からの電波に基づいて得られた個人会員の行動位置の変化から、その個人会員の行動速度或いは行動距離が高い精度で得られる。
【００１０】
また、好適には、前記健康情報決定工程は、予め登録した複数の健康情報から前記個人会員の生体情報および行動情報に基づいて所定の健康情報を決定するものであり、前記健康情報提供工程は、所定の個人会員から健康情報提供の要求があったか否かを判定する健康情報要求判定工程と、その健康情報要求判定工程により前記所定の個人会員から健康情報提供の要求があったと判定された場合は、前記所定の健康情報を該所定の個人会員へ送信する送信工程とを含むものである。このようにすれば、健康情報要求判定工程により前記所定の個人会員から健康情報提供の要求があったと判定された場合に、送信工程により前記所定の健康情報が上記所定の個人会員へ送信されるので、個人会員は必要に応じて適切な健康情報を入手することができる。
【００１１】
また、好適には、前記送信工程により前記所定の健康情報が上記所定の個人会員へ送信されたことに関連して、その所定の個人会員に対する課金を行う課金工程が設けられる。このようにすれば、健康情報の利用に応じて必要かつ十分に課金が行われる利点がある。
【００１２】
【課題を解決するための第２の手段】
また、上記第１発明が好適に実施される第２発明の要旨とするところは、予め登録された個人会員により操作される複数の端末装置から通信回線を介して接続されるサーバを備え、そのサーバに記憶される該個人会員の生体情報に基づいた健康情報を該個人会員へ提供するための健康情報提供装置であって、（ａ）  前記端末装置から入力された個人会員の生体情報と該個人の行動情報とに基づいて該個人会員の健康を維持するための健康情報を決定する健康情報決定手段と、（ｂ）  その健康情報決定手段において決定された健康情報を前記個人会員へ提供する健康情報提供手段とを、含むことにある。
【００１３】
【第２発明の効果】
このようにすれば、健康情報決定手段において、前記端末装置から入力された個人会員の生体情報と該個人の行動情報とに基づいてその個人会員の健康を維持するための健康情報が決定され、健康情報提供手段において、その健康情報が前記個人会員へ提供されることから、各個人会員毎に行動情報が加味された一層適切な高品質の健康情報がその個人会員に提供される。
【００１４】
【第１発明の他の態様】
ここで、好適には、前記行動情報は、前記個人会員に装着された位置検出装置により検出されたその個人会員の行動位置を示す情報を含むものである。このようにすれば、その個人会員の行動位置の変化に基づいて得られた行動距離や行動速度などに基づいて、一層適切な健康情報が個人会員に提供される。
【００１５】
また、好適には、前記位置検出装置は、人工衛星からの電波に基づいて前記個人会員の行動位置を繰り返し決定する位置決め装置であり、前記行動情報は、該位置決め装置により繰り返し決定された行動位置に基づいて算出された行動速度或いは行動距離を含むものである。このようにすれば、人工衛星からの電波に基づいて得られた個人会員の行動位置の変化から、その個人会員の行動速度或いは行動距離が高い精度で得られる。
【００１６】
また、好適には、前記健康情報決定手段は、予め登録した複数の健康情報から前記個人会員の生体情報および行動情報に基づいて所定の健康情報を決定するものであり、前記健康情報提供手段は、所定の個人会員から健康情報提供の要求があったか否かを判定する健康情報要求判定手段と、その健康情報要求判定工程により前記所定の個人会員から健康情報提供の要求があったと判定された場合は、前記所定の健康情報を該所定の個人会員へ送信する送信手段とを含むものである。このようにすれば、健康情報要求判定手段により前記所定の個人会員から健康情報提供の要求があったと判定された場合に、送信手段により前記所定の健康情報が上記所定の個人会員へ送信されるので、個人会員は必要に応じて適切な健康情報を入手することができる。
【００１７】
また、好適には、前記送信手段により前記所定の健康情報が上記所定の個人会員へ送信されたことに関連して、その所定の個人会員に対する課金を行う課金手段が設けられる。このようにすれば、健康情報の利用に応じて必要かつ十分に課金が行われる利点がある。
【００１８】
【発明の好適な実施の形態】
以下、本発明の好適な実施の形態について図面を参照しつつ詳細に説明する。
【００１９】
図１は、本発明の一実施例の健康情報提供システム１０の一実施例の構成を説明する図である。図１において、通信機能付テレビ、パソコンなどの個人によって操作されるインターネット通信機能付固定式或いは移動式の複数の個人会員用端末装置１２ａ、１２ｂ、１２ｃ・・・１２ｎと、バーチャルインストラクタを構成する情報提供会社のサーバ１４とが、有線或いは無線のインターネット（通信ネットワーク）、有線或いは無線の電話回線などの通信回線１６を介して相互に接続され、たとえばＳＳＬによる守秘性の高い符号を用いて相互通信可能になっている。上記個人会員用端末装置１２ａ、１２ｂ、１２ｃ・・・１２ｎは、たとえばパーソナルコンピュータにより構成され、上記サーバ１４は、たとえば比較的高速高容量の電子計算機により構成される。
【００２０】
また、上記サーバ１４は、健康情報提供装置として機能するものであって、ＣＰＵ（中央演算処理装置）２０、制御プログラムが記憶されたＲＯＭ２２、一時的記憶装置として機能するＲＡＭ２４、表示装置２５、ターミナルアダプタＴＡを介して通信回線１６に接続される入出力インターフェース２６などを有する所謂マイクロコンピュータと同様に構成されており、種々の情報を記憶したデータベース（ＤＢ）を有する記憶装置２８を備えている。この記憶装置２８には、会員の健康を維持するために必要な健康情報を提供するために無料或いは有料の契約により予め会員となっている会員の氏名、会員のＩＤ、認証コードを記憶する会員ＤＢ（データベース）３０と、会員から送信された生体情報の蓄積やそれに基づいて得られた医学的評価や診断を含む医療情報が記憶される生体情報ＤＢ（データベース）３２と、会員から送信された会員の位置情報およびそれに基づく移動距離および移動速度などの行動に関連する行動情報が蓄積される行動情報ＤＢ（データベース）３４と、たとえば高血圧の治療、肥満の治療などのために、個人会員の生体情報或いはその変化やトレンドに対応して予め医療専門家により作成された健康情報すなわち食事指導メニュー或いは運動指導メニューなどが記憶される健康情報ＤＢ（データベース）３６とを備えている。
【００２１】
すなわち、上記サーバ１４は、会員登録された個人が操作する個人会員用端末装置１２ｎのいずれかから随時或いは定期的に送信された生体情報を会員毎に生体情報ＤＢ３２に蓄積すると同時に、予め記憶された診断プログラムから上記送信された生体情報およびその変化やトレンドに基づいて医学的評価および診断を自動的に実行してその結果も生体情報ＤＢ３２に蓄積する。また、個人会員用端末装置１２ｎのいずれかから定期的に送信された会員の位置情報およびそれに基づく移動距離および移動速度などの行動に関連する行動情報或いはその位置情報から算出した移動距離および移動速度などの行動に関連する行動情報を行動情報ＤＢ３４に蓄積する。さらに、上記サーバ１４は、予め健康情報ＤＢ３６に記憶されている他種類の健康情報から所定の会員の生体情報および行動情報に対応する健康情報を単独で或いは組み合わせることにより抽出し、定期的に或いは要求に応じて、当該生体情報および位置情報を送信した会員用端末装置１２ｎへ送信してそれに表示させる。なお、会員からの要求に応じて、生体情報のトレンドデータや行動情報と共に上記健康情報を送信する。
【００２２】
上記個人会員の生体情報および行動位置を検出するための生体情報検出装置および行動情報検出装置としての検出システム１８ａ、１８ｂ、１８ｃ・・・１８ｎが上記個人会員用端末装置１２ａ、１２ｂ、１２ｃ・・・１２ｎに無線或いは有線でそれぞれ接続されている。図２は、その一例を示している。図２において、所定の検出システム１８では、自動血圧測定装置３８、脈波伝播速度情報測定装置４０、体重計４２と、歩数計４４、体温計４６、およびＧＰＳ位置検出装置４８を備えて会員に装着される携帯型検出装置５０とが、生体情報および行動情報を検出するための検出装置として設けられている。
【００２３】
上記自動血圧測定装置３８は、図示しないカフを備えそのカフの圧迫圧力の変化過程において検出される圧脈波信号に基づいて患者の血圧値ＢＰ、心拍数ＨＲ等を測定する。上記脈波伝播速度情報測定装置４０は、脈波伝播速度情報（すなわち生体の所定の２部位間を脈波が伝播する脈波伝播速度ＰＷＶ或いは脈波伝播時間ＤＴ）を測定するものであり、最上流部における脈波に相当する心筋の活動電位（すなわち心電図）を検出するために会員の所定部位に装着される複数の電極５２と、指尖部等に装着されて毛細血管内の血液容積に対応する容積脈波を検出する光電脈波センサ５４とを備え、１心拍同期内において電極５２により検出された心電誘導波形の所定部位たとえばＲ波が検出されてから光電脈波センサ５４により検出された容積脈波の所定部位たとえば立ち上がり点が検出されるまでの時間差に基づいて脈波伝播速度情報ＰＷＶを算出する。
【００２４】
データ読み取り装置５６は、歩数計４４、体温計４６、或いはＧＰＳ位置検出装置４８に接続されて、その歩数計３４、体温計４６、或いはＧＰＳ位置検出装置４８により測定された歩数ＮＷ  、体温Ｔ、或いは行動位置Ｐを読み取る。上記自動血圧測定装置３８、脈波伝播速度情報測定装置４０、体重計４２、データ読み取り装置５６には、送信機５８がそれぞれ接続され、それぞれの装置において測定或いは読み取られた血圧値ＢＰ、心拍数ＨＲ、脈波伝播速度ＰＷＶ或いは脈波伝播時間ＤＴ、体重Ｗ、歩数ＮＷ  、体温Ｔ、或いは行動位置Ｐ等の生体情報および行動情報を個人会員用端末装置１２に接続された受信機６０へ送信する。
【００２５】
個人会員用端末装置１２は、入力装置１２Ａ、表示器１２Ｂ、および図示しないコンピュータを備えて構成されており、受信機６０から供給される信号（すなわち生体情報）を通信ネットワーク１６を介してサーバ１４へ送信する。上記入力装置１２Ａは、患者識別信号ＳＩ（ＩＤ番号、指紋、声紋等）を入力するための入力部を備えるとともに、種々の入力や選択を実行するための入力キーを備えている。上記表示器１２Ｂは、例えば、ＣＲＴ、液晶ディスプレイ等であるが、家庭用テレビが用いられてもよい。
【００２６】
前記ＧＰＳ位置検出装置４８は、ＧＰＳ（グローバルポジショニングシステム）を利用して人工衛星からの電波（ＧＰＳ信号）をアンテナ４８ａを介して受信し、携帯型検出装置５０が装着された個人会員の現在位置たとえば経緯位置を示す度数および緯度位置を示す度数とで示される現在位置を逐次算出するとともに、その個人会員の移動（行動）速度、移動（行動）距離を算出して出力する。また、必要に応じて地図内に現在位置を表示するための信号を出力する。
【００２７】
図３は、上記サーバ１４の制御機能の要部を説明する機能ブロック線図である。図３において、会員判定手段６２は、会員用端末装置１２ｎのいずれかから入力された会員ＩＤが予め会員ＤＢ３０に記憶されたものと一致するか否かに基づいて、アクセスした者が予め登録された会員であるか否かを判定する。生体情報行動情報読込手段６４は、上記会員判定手段６２によって会員であると判定された場合は、会員用端末装置１２ｎのいずかから送信された生体情報および行動情報を読み込み、会員ＩＤと関連づけて生体情報ＤＢ３２および行動情報ＤＢ３４へ蓄積させる。診断手段６８は、予め記憶された診断プログラムからたとえば生体情報ＤＢ３２に記憶された生体情報と行動情報ＤＢ３４に記憶された行動情報たとえば移動（行動）速度、移動（行動）距離とに基づいて該当する個人会員の自動診断を実行する。たとえば、読み込まれた生体情報が予め設定された評価判定範囲を超えるか否かに基づいて生体情報の医学的評価及び診断を実行し、医学的評価及び診断の結果を会員ＩＤ或いはその生体情報に関連づけてたとえば上記生体情報ＤＢ３２に蓄積させる。
【００２８】
健康情報決定手段７０は、予め記憶された健康情報作成プログラムからたとえば生体情報ＤＢ３２に記憶された生体情報と行動情報ＤＢ３４に記憶された行動情報たとえば移動（行動）速度、移動（行動）距離とに基づいて、各個人会員の健康情報たとえば運動メニューおよび食事メニューを周期的に或いは個人会員からの要求に従って作成する。たとえば肥満傾向であって運動量が少ない会員については、健康情報ＤＢ３６に予め記憶された他種類の食事メニューおよび運動メニューから摂取カロリーを少なくするための食事メニューと消費カロリーを多くするための運動メニューを選択し或いは組み合わせて決定する。さらに、健康情報決定手段７０は、たとえば上記行動情報（位置情報）に基づいてその場の環境（天候やタウン情報など）、或いは予め登録されている個人スケジュール管理テーブルから判断される会員の現時点の場から決定できる即時性のある健康維持活動についての健康情報を提供する。これにより、会員は今すぐできる対応策を知ることによって、モチベーションを維持できる。たとえば、得られる位置情報からその地域の天候や場所が決定されるので、晴れていれば戸外を歩く必要に応じて、散歩可能な公園や歩くに適した最適経路を予め記憶された地図を用いて示し、現在必要な運動指導が可能となる。また、食事前であれば、必要なミネラルや栄養素、カロリーなどから割り出される食事メニューに沿って、会員の嗜好にあわせた食品が手に入るレストランなどの情報を適宜提供する。また、それが実行されたか否かを行動情報に基づいて判断し、それに基づいて次回の健康情報を作成する。また、上記健康情報は、会員の所属するフィットネスクラブなどとの間の契約下でフィットネスクラブからの情報を利用して提供されることができる。この場合には、提供に応じてフィットネスクラブから課金されることもできる。或いは、これまでクラブに通わなければ運動メニューがこなせなかったクラグ会員に対して、クラブ外での運動、栄養指導を実現させることができる。
【００２９】
要求判定手段７２は、上記食事メニューおよび運動メニューなどの健康情報を要求する操作が個人会員から行われたか否かを個人会員用端末装置１２ｎからの信号に基づいて判定する。健康情報送信手段７４は、要求判定手段７２により個人会員から健康情報の要求があったと判定された場合には、健康情報決定手段７０によりその個人会員毎に決定された健康情報をその個人会員用端末装置１２ｎへ送信し、その表示器１２Ｂなどへ出力させたり、或いはダウンロードさせたりする。上記要求判定手段７２および健康情報送信手段７４は、各個人会員に応じた健康情報を各個人会員へ供するための健康情報提供手段７５に対応している。
【００３０】
着信判定手段７６は、上記健康情報送信手段７４によって送信された健康情報が送信先の個人会員用端末装置１２ｎに着信したか否かを判定する。課金手段７８は、その着信判定手段７６により上記健康情報送信手段７４によって送信された健康情報が送信先の個人会員用端末装置１２ｎに着信したと判定された場合には、その個人会員に対して上記健康情報の提供サービスに対応する課金を行う。たとえば、個人会員の予め登録された銀行口座から引き落とすための手続きを実行したり、或いは請求書の発行を個人会員に対して行う。
【００３１】
図４は、上記サーバ１４の制御作動の要部すなわち健康情報提供制御作動を説明するフローチャートであって、数ミリ秒程度の比較的短い周期で繰り返し実行される。
【００３２】
図４において、前記会員判定手段６２或いは会員判定工程に対応するステップ（以下、ステップを省略する）Ｓ１では、個人会員用端末装置１２ｎのいずれかからアクセスが行われたか否かが判断される。このＳ１の判断が否定される場合はそのＳ１が繰り返し実行されることによって待機させられるが、肯定される場合は、前記生体情報行動情報読込手段６４或いは生体情報行動情報読込工程に対応するＳ２において上記個人用端末装置１２ｎから送信された生体情報および行動情報が読み込まれるとともに、続くＳ３において、それら読み込まれた生体情報および行動情報が個人会員のＩＤに関連づけて生体情報ＤＢ３２および行動情報ＤＢ３４に蓄積される。
【００３３】
次いで、前記要求判定手段７２或いは要求判定工程に対応するＳ４において、食事メニューおよび運動メニューなどの健康情報を要求する操作が個人会員から行われたか否かが個人会員用端末装置１２ｎからの信号に基づいて判定される。このＳ４の判断が否定される場合は本ルーチンが終了させられるが、肯定される場合は、前記診断手段６８或いは診断工程に対応するＳ５において、予め記憶された診断プログラムからたとえば生体情報ＤＢ３２に記憶された生体情報と行動情報ＤＢ３４に記憶された行動情報たとえば移動（行動）速度、移動（行動）距離とに基づいて、該当する個人会員の自動診断が実行され、その医学的評価及び診断の結果が会員ＩＤ或いはその生体情報に関連づけてたとえば上記生体情報ＤＢ３２に蓄積される。
【００３４】
続いて、前記健康情報決定手段７０或いは健康情報決定工程に対応するＳ６において、予め記憶された健康情報作成プログラムからたとえば生体情報ＤＢ３２に記憶された生体情報と行動情報ＤＢ３４に記憶された行動情報たとえば移動（行動）速度、移動（行動）距離とに基づいて、各個人会員の健康情報たとえば運動メニューおよび食事メニューが作成される。次いで、前記健康情報送信手段７４或いは健康情報送信工程に対応するＳ７において、上記Ｓ６において決定された健康情報が要求元の個人会員用端末装置１２ｎへ送信される。
【００３５】
次いで、前記着信判定手段７６或いは着信判定工程に対応するＳ８では、上記Ｓ７において送信された健康情報が送信先の個人会員用端末装置１２ｎに着信したか否かが判定される。このＳ８の判断が否定される場合は本ルーチンが終了させられるが、肯定される場合は、その個人会員に対して上記健康情報の提供サービスに対応する課金が行われ、たとえば個人会員の予め登録された銀行口座から引き落とすための手続き、或いは請求書の発行が実行される。
【００３６】
上述のように、本実施例によれば、健康情報決定手段７０或いは健康情報決定工程において、個人会員用端末装置１２ｎから入力された個人会員の生体情報とその個人の行動情報とに基づいてその個人会員の健康を維持するための健康情報が決定され、健康情報送信（提供）手段７４或いは健康情報送信（提供）工程において、その健康情報が上記個人会員へ提供されることから、各個人会員毎に行動情報が加味された一層適切な高品質の健康情報がその個人会員に提供される。
【００３７】
また、本実施例によれば、前記行動情報は、前記個人会員に装着されたＧＰＳ位置検出装置（位置検出装置）４８により検出されたその個人会員の行動位置を示す情報を含むものであるので、その個人会員の行動位置の変化に基づいて得られた行動距離や行動速度などに基づいて、一層適切な健康情報が個人会員に提供される。
【００３８】
また、本実施例によれば、前記ＧＰＳ位置検出装置４８は、人工衛星からの電波に基づいて前記個人会員の行動位置を繰り返し決定する位置決め装置であり、前記行動情報は、そのＧＰＳ位置検出装置４８により繰り返し決定された行動位置に基づいて算出された行動速度或いは行動距離を含むものであるので、その個人会員の行動速度或いは行動距離が高い精度で得られる。
【００３９】
また、本実施例によれば、前記健康情報決定手段７０或いは健康情報決定工程は、予め登録した複数の健康情報から個人会員の生体情報および行動情報に基づいて所定の健康情報を決定するものであり、前記健康情報提供手段或いは健康情報提供工程は、所定の個人会員から健康情報提供の要求があったか否かを判定する健康情報要求判定手段７２或いは健康情報要求判定工程と、その健康情報要求判定手段７２或いは健康情報要求判定工程により前記所定の個人会員から健康情報提供の要求があったと判定された場合は、前記所定の健康情報を該所定の個人会員へ送信する健康情報送信手段７４或いは健康情報送信工程とを含むものであることから、健康情報要求判定手段７２或いは健康情報要求判定工程により前記所定の個人会員から健康情報提供の要求があったと判定された場合に、健康情報送信手段７４或いは健康情報送信工程により前記所定の健康情報が上記所定の個人会員へ送信されるので、個人会員は必要に応じて適切な健康情報を入手することができる。
【００４０】
また、本実施例によれば、上記健康情報送信手段７４或いは健康情報送信工程により所定の健康情報が上記所定の個人会員へ送信されたことに関連して、その所定の個人会員に対する課金を行う課金手段７８或いは課金工程が設けられるので、健康情報の利用に応じて必要かつ十分に課金が行われる利点がある。
【００４１】
以上、本発明の一実施例を図面に基づいて説明したが、本発明は他の態様においても適用される。
【００４２】
たとえば、前述の会員の端末装置１２ｎは、携帯電話機などから構成されていてもよい。
【００４３】
また、前述の実施例のサーバ１４は、１台のコンピュータによって構成されるように説明されていたが、複数台のコンピュータによって構成されていてもよく、また、それら複数台のコンピュータは分散配置されていてもよい。
【００４４】
また、前述の実施例において、会員用端末装置１２ｎに接続された検出システム（生体情報検出装置、行動位置情報検出装置）１８ｎは、血圧値ＢＰ、体重Ｗ  、心拍数ＨＲ、心電誘導波形ＥＣＧ  、体温ＴＢ、自律神経活性度、脈波伝播速度ＰＷＶ  、振幅指数ＡＩなどを検出する機能を備えたものであったが、それらの一部を検出するものであってもよいし、それらとは異なる他の生体情報を検出するものであってもよい。生体情報検出装置１８ｎによって直接検出されない生体情報は、体重計、血圧計、脈拍計、心電計、視力検出装置などの別の装置によって測定された後に手入力によって会員用端末装置１２ｎから送信されてもよい。この意味において、生体情報検出装置１８ｎは必ずしも設けられていなくてもよい。
【００４５】
また、前述の実施例の図４のフローチャートにおいて、そのステップの順序などは適宜変更が加えられ得るものである。また、図４において、前記要求判定手段７２に対応するＳ４や、前記着信判定手段７６に対応するＳ８は省略されてもよい。このような場合には、会員の要求がなくても定期的に健康情報が会員へ供給されたり、着信を条件としなくても課金されたりする。
【００４６】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【図１】本発明が適用された、通信回線を利用した健康情報提供システムの構成を説明する図である。
【図２】図１の健康情報提供システムにおいて、個人会員用端末装置およびそれに接続される検出システム（生体情報検出装置、行動位置情報検出装置）の構成を説明する図である。
【図３】図１のサーバの制御機能の要部を説明するための機能ブロック線図である。
【図４】図１のサーバの制御作動の要部を説明するフローチャートであって、健康情報提供制御ルーチンを示している。
【符号の説明】
１０：健康情報提供システム
１２ａ、１２ｂ、１２ｃ・・・１２ｎ：個人会員用端末装置
１４：サーバ（健康情報提供装置）
１６：通信回線
１８：検出システム（生体情報検出装置、行動位置情報検出装置）
４８：ＧＰＳ位置検出装置（位置検出装置）
７０：健康情報決定手段
７５：健康情報提供手段（７２：要求判定手段、７４：健康情報送信手段）
７８：課金手段
【図１】
2004227178.tif 000003
【図２】
2004227178.tif 000004
【図３】
2004227178.tif 000005
【図４】
2004227178.tif 000006